(57)【要約】【課題】キャビネットの破損を抑制でき、扉の開閉動作をスムーズに行うことができるキャビネット及びトイレユニットを提供すること。【解決手段】キャビネット１０は、アーム部１３ｂとベース部１３ｃとを連結して連結金具１３をユニット化し、そのユニット化した連結金具１３をキャビネット１０の奥壁１１ｅに固定するので、一対のアーム部１３ｂは、ベース部１３ｃに対して回転軸心がズレること無く軸支され、アーム部１３ｂの扉１２側先端の回転軌跡もズレずに一定になる。よって、扉１２が開閉動作される場合に、アーム部１３ｂとベース部１３ｃ及びアーム部１３ｂと固着部１３ａとの連結部分に無理な力がかからないので、アーム部１３ｂとベース部１３ｃ及びアーム部１３ｂと固着部１３ａとの連結部分が破損することを抑制できるし、扉１２の開閉動作もスムーズに行うことができる。【選択図】図２
2010125066.tif 000002
【特許請求の範囲】
【請求項１】
略箱状に形成され前面側に開口部を有するキャビネット本体と、そのキャビネット本体の開口部を覆うと共に上下方向にスライド移動可能に構成された扉とを備えたキャビネットにおいて、
前記扉の横方向両側に、一方の端部が連結される一対のアーム部材と、
その一対のアーム部材の他方の端部を両側に回転可能に軸支すると共に、その一対のアーム部材が軸支される両側間の長さが前記キャビネット本体の横方向の長さより若干短く形成され、前記キャビネット本体に取り付けられるベース部材とを備えていることを特徴とするキャビネット。
【請求項２】
前記キャビネット本体には、そのキャビネット本体の天井壁または底壁の前面側に、前記アーム部材の端部が侵入する切り欠きが形成されていることを特徴とする請求項１記載のキャビネット。
【請求項３】
前記ベース部材は、前記キャビネット本体の開口部に対向する奥壁の上下方向におけるほぼ中央に取り付けられることを特徴とする請求項１又は２に記載のキャビネット。
【請求項４】
前記一対のアーム部材は、前記扉に対して前記一方の端部が回転可能に軸支されると共に、前記一方の端部と他方の端部との間に少なくとも１箇所が屈曲した屈曲部を有していることを特徴とする請求項３記載のキャビネット。
【請求項５】
請求項１から４のいずれかに記載のキャビネットと、便器装置とを備えたトイレユニットであって、
前記キャビネットは、前記扉の横方向と前記便器装置の前奥方向とがほぼ並行になるように、前記便器装置の側方に配置されるものであることを特徴とするトイレユニット。
【発明の詳細な説明】
【技術分野】
【０００１】
本発明は、キャビネット及びトイレユニットに関し、特に、キャビネットの破損を抑制でき、扉の開閉動作をスムーズに行うことができるキャビネット及びトイレユニットに関するものである。
【背景技術】
【０００２】
特開２００７−１６９８７６号公報（以下「特許文献１」と称す）には、略箱状に形成されるキャビネット本体の前面側の開口部を扉により覆うキャビネットが開示されている。このキャビネットは、一対のアームの一端が扉の裏面側に固定されると共に、一対のアームの他端がキャビネット本体の横方向両側の側壁に回転可能に固定され、その一対のアームがキャビネット本体に対して回転することにより、キャビネット本体に対して扉が上方に開扉されるように構成されている。  
【特許文献１】特開２００７−１６９８７６号公報
【発明の開示】
【発明が解決しようとする課題】
【０００３】
しかしながら、特許文献１のキャビネットでは、一対のアームの他端がキャビネット本体の横方向両側の側壁にそれぞれ１ずつ取り付けられるので、キャビネット本体の開口部に対する各アームの取付位置にバラツキが生じ易くなる。キャビネット本体の開口部に対する２本のアームの取付位置がズレると、各アームの回転軸心もズレるので、各アームの扉側先端の回転軌跡にもズレが生じる。その結果、そのアームの先端に固定された扉を上下方向に開閉動作すると、アームと側壁との取付部に無理な力がかかるので、扉の開閉動作を繰り返すことでアームと側壁との取付部が破損し易くなるし、扉の開閉動作もスムーズに行えないという問題点があった。
【０００４】
本発明は、上述した問題点を解決するためになされたものであり、キャビネットの破損を抑制でき、扉の開閉動作をスムーズに行うことができるキャビネット及びトイレユニットを提供することを目的としている。
【課題を解決するための手段】
【０００５】
この目的を達成するために請求項１記載のキャビネットは、略箱状に形成され前面側に開口部を有するキャビネット本体と、そのキャビネット本体の開口部を覆うと共に上下方向にスライド移動可能に構成された扉とを備えており、前記扉の横方向両側に、一方の端部が連結される一対のアーム部材と、その一対のアーム部材の他方の端部を両側に回転可能に軸支すると共に、その一対のアーム部材が軸支される両側間の長さが前記キャビネット本体の横方向の長さより若干短く形成され、前記キャビネット本体に取り付けられるベース部材とを備えている。
【０００６】
請求項２記載のキャビネットは、請求項１記載のキャビネットにおいて、前記キャビネット本体には、そのキャビネット本体の天井壁または底壁の前面側に、前記アーム部材の端部が侵入する切り欠きが形成されている。
【０００７】
請求項３記載のキャビネットは、請求項１又は２に記載のキャビネットにおいて、前記ベース部材は、前記キャビネット本体の開口部に対向する奥壁の上下方向におけるほぼ中央に取り付けられる。
【０００８】
請求項４記載のキャビネットは、請求項３記載のキャビネットにおいて、前記一対のアーム部材は、前記扉に対して前記一方の端部が回転可能に軸支されると共に、前記一方の端部と他方の端部との間で少なくとも１箇所が屈曲した屈曲部を有している。
【０００９】
請求項５記載のトイレユニットは、請求項１から４のいずれかに記載のキャビネットと、便器装置とを備えており、前記キャビネットは、前記扉の横方向と前記便器装置の前奥方向とがほぼ並行になるように、前記便器装置の側方に配置されるものである。
【発明の効果】
【００１０】
請求項１記載のキャビネットによれば、扉の横方向両側に一対のアーム部材の一方の端部が連結され、その一対のアーム部材の他方の端部はベース部材の両側に回転可能に軸支されるので、そのベース部材に対して、アーム部材の回転軸心および扉側先端の回転軌跡にズレが生じず、アーム部材とベース部材およびアーム部材と扉との連結部分に無理な力がかからない。また、ベース部材は、一対のアーム部材が軸支される両側間の長さがキャビネット本体の横方向の長さより若干短く形成されているので、そのベース部材をキャビネット本体に取り付ける場合、キャビネット本体の横方向両側の側壁によって、ベース部材の取付位置が規制される。よって、特許文献１のように、アーム部材がキャビネット本体の両側の側壁にそれぞれ１ずつ取り付けられる場合に比べて、アーム部材の取付位置は、キャビネット本体の開口部に対してバラツキが生じ難くなるので、アーム部材とベース部材およびアーム部材と扉との連結部分に無理な力がかからない。従って、キャビネット本体に対して扉が上下方向にスライド移動して開閉動作されても、アーム部材とベース部材およびアーム部材と扉との連結部分の破損を抑制できキャビネットの破損を抑制できるし、扉の開閉動作もスムーズに行うことができるという効果がある。
【００１１】
また、扉は、キャビネット本体に対して上下方向にスライド移動するため、扉の開放時における左右両側の干渉を考える必要がなく、キャビネットを室内のコーナー部等に配置できるし、他のキャビネット等を左右両側に配置できるので、キャビネットの配置の自由度を向上できるという効果がある。
【００１２】
請求項２記載のキャビネットによれば、請求項１記載のキャビネットの奏する効果に加え、キャビネット本体には、そのキャビネット本体の天井壁または底壁の前面側に、アーム部材の端部が侵入する切り欠きが形成されているので、上下方向にスライド移動する扉に追従してアーム部材の端部が上下方向に移動した場合に、そのアーム部材の端部が切り欠きに侵入する。よって、扉がスライド移動する移動範囲を広くできるので、キャビネット本体の開口部の開口が広くなり、収納物の出し入れがし易くなるという効果がある。
【００１３】
請求項３記載のキャビネットによれば、請求項１又は２に記載のキャビネットの奏する効果に加え、ベース部材は、キャビネット本体の開口部に対向する奥壁の上下方向におけるほぼ中央に取り付けられるので、ベース部材がキャビネット本体の天井壁や底壁、奥壁の上端または下端に取り付けられる場合に比べて、扉が上下方向にスライド移動する場合のアーム部材の回転する範囲を狭くできるし、アーム部材の長さも短くできる。よって、扉を上下方向にスライド移動する場合に、アーム部材の回転範囲が広く且つアーム部材が長いために扉が左右方向へブレてしまうことを抑制できるので、扉の開閉動作をスムーズに行うことができるという効果がある。
【００１４】
請求項４記載のキャビネットによれば、請求項３記載のキャビネットの奏する効果に加え、一対のアーム部材は、扉に対して一方の端部が回転可能に軸支されるので、扉が上下方向にスライド移動する場合に、一対のアーム部材に対して扉が回転し、垂直姿勢を保つことができる。また、アーム部材は、一方の端部と他方の端部との間で少なくとも１箇所が屈曲した屈曲部を有しているので、アーム部材を直線状に形成して扉を上下方向にスライド移動させる構成に比べて、アーム部材の扉側先端の回転軌跡を開口部側に位置させることができ、キャビネット本体の前面側への扉の突出量を少なくできる。よって、扉の開閉動作を行う場合に、扉を垂直姿勢に保ちつつキャビネット本体の前面側への扉の突出量を少なくできるので、キャビネットの前面側に他の装置などを配置しても扉の開閉動作を行うことができる。従って、他の装置との間の距離が狭い場所にもキャビネットを配置できるので、キャビネットの配置の自由度を向上できるという効果がある。
【００１５】
請求項５記載のトイレユニットによれば、請求項１から４のいずれかに記載のキャビネットは、扉の横方向と便器装置の前奥方向とがほぼ並行となるように、便器装置の側方に配置される。一般に、便器装置は狭い室内であるトイレ内に配置されるため、扉が開閉動作する領域が取れずに便器装置の側方にキャビネットを配置できない場合があるが、キャビネットは、扉が上下方向にスライド移動すると共にキャビネット本体の前面側への突出量も少なくできるので、便器装置の側方に配置可能となり、キャビネットの配置の自由度を向上したトイレユニットを提供できるという効果がある。
【発明を実施するための最良の形態】
【００１６】
以下、本発明の好ましい実施形態について、添付図面を参照して説明する。図１は、本発明の一実施形態のサイドキャビネット１０及び中央キャビネット２０が配置されたトイレＴの全体を示した斜視図である。なお、図１において、矢印Ｘは、各キャビネット１０，２０の左右（横）方向（便器装置Ｓの前奥方向）を示しており、矢印Ｙは、各キャビネット１０，２０の奥行き方向（便器装置Ｓの左右方向）を示しており、矢印Ｚは、各キャビネット１０，２０（便器装置Ｓ）の上下方向を示している。
【００１７】
図１に示すように、トイレＴは、床面Ｆと、４つの壁面Ｗ（２つの壁面Ｗは図示せず）と、天井面（図示せず）とにより囲まれた空間である。なお、以下の説明では、便器装置Ｓの奥方の壁面を壁面Ｗ１とし、便器装置Ｓの側方の壁面をＷ２として説明する。
【００１８】
トイレＴ内には、主に、壁面Ｗ２に奥壁が隣接し且つ、壁面Ｗ１及び壁面Ｗ２により形成されるコーナー部から反壁面Ｗ１方向（矢印Ｘ方向の右手前側）に沿って収納棚Ｒが配設され、壁面Ｗ１に奥方が隣接して便器装置Ｓが配設されている。
【００１９】
収納棚Ｒは、前面側の開口部１１ｆ（図２参照）が扉１２（図２参照）により覆われたサイドキャビネット１０と、そのサイドキャビネット１０の反壁面Ｗ１側（矢印Ｘ方向の右手前側）に配置されると共にサイドキャビネット１０と同形状に形成される中央キャビネット２０と、トイレットペーパーが装着される装着部３０と、上部に手洗器を有すると共に内部に配管等が収納された手洗い台４０とを有して構成されている。
【００２０】
次に、図２及び図３を参照して、サイドキャビネット１０の構造と、サイドキャビネット１０の開閉動作について説明する。図２は、サイドキャビネット１０を分解して示した分解斜視図である。図３は、サイドキャビネット１０の側壁１１ａを仮想的に取り外した状態の左側面図であり、扉１２の開扉動作を示した図である。
【００２１】
図２に示すように、サイドキャビネット１０は、略箱状に形成されるキャビネット本体１１と、そのキャビネット本体１１の前面側（矢印Ｙ方向の左手前側）の開口部１１ｆを覆う扉１２と、その扉１２をキャビネット本体１１に対して上下方向にスライド移動可能に連結する連結金具１３とを有して構成されている。
【００２２】
キャビネット本体１１は、壁面Ｗ１（図１参照）側に位置する側壁１１ａと、その側壁１１ａに対向配置される側壁１１ｂと、天井壁１１ｃと、底壁１１ｄと、奥壁１１ｅとにより略箱状に形成されている。キャビネット本体１１は、側壁１１ａ，１１ｂ、天井壁１１ｃ、底壁１１ｄ及び奥壁１１ｅによって略箱状に形成され、前面側が開口部１１ｆにより開口されている。
【００２３】
また、底壁１１ｄの開口部１１ｆ側には、キャビネット本体１１の左右方向（矢印Ｘ方向）における両側端部に切り欠き１１ｇが形成されている。この切り欠き１１ｇは、後述する連結金具１３の固着部１３ａおよびアーム部１３ｂの扉１２側の先端の一部が侵入する領域である。
【００２４】
扉１２は、前面側（矢印Ｙ方向の左手前側）に取っ手１２ａがねじ１２ｂにより固定されており、取っ手１２ａを使用者が摘んで操作することで、扉１２をキャビネット本体１１に対して上下方向（矢印Ｚ方向）にスライド移動させて開閉動作できる。
【００２５】
図２に示すように、取っ手１２ａは、扉１２の左右方向（矢印Ｘ方向）のほぼ中央の上端（矢印Ｚ方向の上端）に取り付けられている。よって、取っ手１２ａを摘み扉１２を上下方向にスライド移動させた場合、一対の連結金具１２（アーム部１３ｂ）に均等な力が作用するので、扉１２をスムーズに開閉動作することができる。さらに、便器装置Ｓに着座した使用者が取っ手１２ａを摘み操作する場合、取っ手１２ａが扉１２の下端に取り付けられていると、取っ手１２ａが使用者の腰から足下にかけて移動するので扉１２の操作が困難になるが、取っ手１２ａは扉１２の上端に取り付けられ使用者の上半身の範囲を移動するので、扉１２の操作が困難にならず、扉１２をスムーズに開閉動作することができる。
【００２６】
連結金具１３は、扉１２の左右方向（矢印Ｘ方向）両側の端部に対して固着される一対の固着部１３ａと、その一対の固着部１３ａに回転可能に軸支される一対のアーム部１３ｂと、その一対のアーム部１３ｂの反固着部１３ａ側の端部を両側（両端）に回転可能に軸支するベース部１３ｃとを有して構成されている。
【００２７】
アーム部１３ｂは、上下方向（矢印Ｚ方向）に並んだ２つのアーム１３ｄ，１３ｅで構成されている。上側に位置するアーム部１３ｄは、固着部１３ａとベース部１３ｃとの間に１つの屈曲部１３ｄ１を有しており、略へ字状に形成されている。一方、下側に位置するアーム部１３ｅは、固着部１３ａとベース部１３ｃとの間に２つの屈曲部１３ｅ１，１３ｅ２を有しており、略階段状に形成されている。また、ベース部１３ｃは、アーム部１３ｂが軸支される両側の長さ（矢印Ｚ方向の長手方向の長さ）が、キャビネット本体１１の内部空間の横方向の長さより若干短く形成されている。ベース部１３ｃの長さが若干短くとは、例えば、ベース部１３ｃがキャビネット本体１１に取り付けられた状態で、ベース部１３ｃの両端と側壁１１ａ，１１ｂとの間にそれぞれ１ｃｍ程度の隙間が形成される長さである。
【００２８】
連結金具１３は、固着部１３ａ、アーム部１３ｂ及びベース部１３ｃとが一体とされてユニット化されてたものである。また、扉１２と連結金具１３とは、扉１２の上下方向（矢印Ｚ方向）において、扉１２の上部に連結金具１３の固着部１３ａが固着されることでユニット化されている。なお、扉１２と連結金具１３との連結は、扉１２がベース部１３ｃに対してスムーズに開閉動作できるように、固着部１３ａの扉１２に対する固着位置が調整されている。
【００２９】
そして、扉１２と連結金具１３とが連結されてユニット化されたものを、キャビネット本体１１に対して固定して、サイドキャビネット１０が製作される。具体的には、連結金具１３のベース部１３ｃを、キャビネット本体１１の上下方向（矢印Ｚ方向）における奥壁１１ｅのほぼ中央に、ねじ１４により固定して行われる。
【００３０】
上述した通り、ベース部１３ｃは、アーム部１３ｂが軸支される両側の長さが、キャビネット本体１１の内部空間の横方向の長さより若干短く形成されている。よって、ベース部１３ｃがキャビネット本体１１の奥壁１１ｅに取り付けられる場合には、ベース部１３ｃの取付位置の上下方向（矢印Ｚ方向）への傾きが、キャビネット本体１１の側壁１１ａ，１１ｂにより規制される。従って、ベース部１３ｃは、ほぼ水平に奥壁１１ｅに取り付けられるので、扉１２が開閉動作する場合に、アーム部１３ｂと側壁１１ａ，１１ｂとが接触することを抑制でき、アーム部１３ｂ及び側壁１１ａ，１１ｂが破損することを抑制できる。
【００３１】
なお、本実施形態では、扉１２と連結金具１３とを連結してユニット化した後に、キャビネット本体１１の奥壁１１ｅにベース部１３ｃを固定するように構成したが、連結金具１３のベース部１３ｃをキャビネット本体１１に固定した後に、その固定された連結金具１３の固着部１３ａと扉１２とを固着するように構成しても良い。
【００３２】
次に、図３を参照して、扉１２のキャビネット本体１１に対する開扉動作について説明する。
【００３３】
図３（ａ）は、扉１２がキャビネット本体１１に対して閉扉された状態である。図３（ａ）に示すように、扉１２が閉扉された状態では、キャビネット本体１１の内部空間の上下方向（矢印Ｚ方向）において、上方に連結金具１３の固着部１３ａが位置している。
【００３４】
図３（ｂ）は、扉１２の取っ手１２ａが使用者により摘まれて下方にスライド移動される途中の状態である。図３（ｂ）に示すように、扉１２は、キャビネット本体１１の前面側（矢印Ｙ方向の右側）に揺動している。なお、固着部１３ａは、アーム部１３ｂを回転可能に軸支するので、扉１２は、開閉動作が行われている間もアーム部１３ｂに対して回転し垂直姿勢（矢印Ｚ方向に沿った姿勢）が維持される。
【００３５】
図３（ｂ）に示す状態は、連結金具１３の固着部１３ａが、キャビネット本体１１の上下方向において、ほぼベース部１３ｃと同じ位置にあり、扉１２がキャビネット本体１１の前面側に最も突出した状態である。
【００３６】
しかし、扉１２がキャビネット本体１１の前面側に最も突出した状態でも、屈曲部１３ｄ１，１３ｅ１，１３ｅ２を有する２つのアーム１３ｄ，１３ｅを組み合わせてアーム部１３ｂが形成されているので、キャビネット本体１１の前面側への扉１２の突出量が抑えられている。これは、アーム１３ｄ，１３ｅが屈曲部１３ｄ１，１３ｅ１，１３ｅ２を有することで、アーム１３ｄ，１３ｅの扉１２側先端の回転軌跡が、アーム１３ｄ，１３ｅが直線状に形成される場合の回転軌跡に比べて、キャビネット本体１１の開口部１１ｆ側に位置するからである。
【００３７】
図３（ｃ）は、扉１２が完全に開扉された状態である。図３（ｃ）に示すように、扉１２がキャビネット本体１１に対して完全に開扉された状態になると、連結金具１３の固着部１３ａの一部とアーム１３ｅの扉１２側の先端とが、キャビネット本体１１の底壁１１ｄの切り欠き１１ｇ内に侵入している。
【００３８】
また、図３（ｃ）の状態では、扉１２が、キャビネット本体１１の奥行き方向（矢印Ｙ方向）において、キャビネット本体１１に対して閉扉された状態（図３（ａ）の状態）と同位置にある。即ち、キャビネット本体１１の底壁１１ｄに切り欠き１１ｇを形成し、その切り欠き１１ｇに固着部１３ａの一部とアーム１３ｅの先端とが侵入する構成にすることで、扉１２が開扉された状態で、キャビネット本体１１の前面側への扉１２の突出も抑えられている。
【００３９】
なお、キャビネット本体１１の底壁１１ｄに切り欠き１１ｇが形成されていないと、扉１２が完全に開扉される前に、アーム部１３ｂと底壁１１ｄとが当接するので、キャビネット本体１１の開口部１１ｆの大部分を開放することができない。しかし、本実施形態では、底壁１１ｄにアーム部１３ｂが侵入可能な切り欠き１１ｇを設けているので、扉１２を完全に開扉することができ、開口部１１ｆの開口量を多くし、収納物の出し入れをし易くできる。
【００４０】
また、ベース部１３ｃは、キャビネット本体１１の奥壁１１ｅの上下方向におけるほぼ中央に取り付けられるので、ベース部１１ｃがキャビネット本体１１の天井壁１１ｃや底壁１１ｄ、奥壁１１ｅの上部又は下部に取り付けられる場合に比べて、扉１２が開閉動作する場合にアーム部１３ｂが回転する範囲を狭くできるし、アーム部１３ｂの全長も短くできる。よって、扉１２を開閉動作する場合に、アーム部１３ｂの回転範囲が広く且つアーム部１３ｂの全長が長いために、扉１２が左右方向（矢印Ｘ方向）に揺れながら動作する（ブレる）ことを抑制できるので、扉１２の開閉動作をスムーズに行うことができる。
【００４１】
なお、中央キャビネット２０は、サイドキャビネット１０と同形状に形成されているので、サイドキャビネット１０が有する構成と同様の構成は、符号の１０の位を２０の位として読み替えるものとする。
【００４２】
次に、図４を参照して、トイレＴ内に配置されるサイドキャビネット１０及び中央キャビネット２０の扉１２，２２が開扉された状態について説明する。図４は、各キャビネット１０，２０が配置されたトイレＴの全体を示した斜視図であり、各キャビネット１０，２０の扉１２，２２が開扉された状態を示している。
【００４３】
図４に示すように、サイドキャビネット１０の扉１２及び中央キャビネット２０の扉２２とが開扉された状態では、扉１２，２２が下方（矢印Ｚ方向下側）にスライド移動しており、各キャビネット１０，２０の前面側には突出していない。
【００４４】
また、上述した通り、扉１２，２２がキャビネット本体１１，２１に対して開扉動作している最中（図３（ｂ）の状態）、及び、扉１２，２２が完全に開扉された状態（図３（ｃ）の状態）では、キャビネット本体１１，２１に対して扉１２，２２が前面側に突出する突出量が少なくなる。よって、便器装置Ｓと各キャビネット１０，２０（収納棚Ｒ）との間が狭くても、扉１２，２２の開閉動作が可能になるので、トイレＴのような狭い室内における各キャビネット１０，２０の配置の自由度を向上できる。
【００４５】
さらに、扉１２，２２は、キャビネット本体１１，２１に対して上下方向にスライド移動するため、扉の開閉動作における左右両側の干渉を考える必要がなく、各キャビネット１０，２０をトイレＴ等の狭い室内のコーナー部等に配置できるし、他のキャビネット等を左右両側に配置もできるので、各キャビネット１０，２０の左右方向における配置の自由度も向上できる。
【００４６】
なお、本実施形態では、便器装置Ｓに使用者（二点鎖線の人）が着座した状態で、上半身（例えば、肩より下方で腰より上方となる程度）に対応する位置に収納棚Ｒが設けられている。この状態で、例えば、扉１２，２２を上方に揺動して開扉する構成だと、使用者が腕を肩以上に挙げないと扉１２，２２を開扉できないので、扉１２，２２の操作性が低下する。しかし、本実施形態では、扉１２，２２の開閉動作は、使用者の上半身の範囲内で行われ、使用者が腕を肩以上に挙げる必要がないので、扉１２，２２の操作性の低下を抑制でき、各キャビネット１０，２０の使い勝手を向上できる。
【００４７】
以上説明したように、本実施形態の各キャビネット１０，２０は、アーム部１３ｂ，２３ｂとベース部１３ｃ，２３ｃとを連結して連結金具１３，２３をユニット化し、そのユニット化した連結金具１３，２３のベース部１３ｃ，２３ｃを各キャビネット１０，２０の奥壁１１ｅ，２１ｅに固定して製作される。よって、一対のアーム部１３ｂ，２３ｂは、ベース部１３ｃ，２３ｃに対して回転軸心がズレること無く軸支されるので、アーム部１３ｂ，２３ｂの扉１２，２２側先端の回転軌跡もズレずに一定になる。そして、ベース部１３ｃ，２３ｃをキャビネット本体１１，２１の奥壁１１ｅ，２１ｅに対して上下方向に傾くことなく固定できるので、アーム部１３ｂ，２３ｂの回転軸心および回転軌跡が、キャビネット本体１１，２１の開口部１１ｆ，２１ｆに対してズレることが抑制される。従って、扉１２，２２が開閉動作される場合に、アーム部１３ｂ，２３ｂとベース部１３ｃ，２３ｃ及びアーム部１３ｂ、２３ｂと固着部１３ａ，２３ａとの連結部分に無理な力がかからないので、アーム部１３ｂ，２３ｂとベース部１３ｃ，２３ｃ及びアーム部１３ｂ、２３ｂと固着部１３ａ，２３ａとの連結部分が破損することを抑制できるし、扉１２，２２の開閉動作もスムーズに行うことができる。
【００４８】
以上、実施形態に基づき本発明を説明したが、本発明は上述した実施の形態になんら限定されるものではなく、本発明の趣旨を逸脱しない範囲内で種々の改良変更が可能であることは容易に推察できるものである。
【００４９】
例えば、上記実施形態では、各キャビネット１０，２０をトイレＴ内に配置するものとしたが、各キャビネット１０，２０を洗面台の上方および下方に配置しても良いし、キッチンの下方および上方に配置するものとしても良い。各キャビネット１０，２０を洗面台やキッチンに使用したとしても、ユニット化された連結金具１３，２３がキャビネット本体１１，２１に取り付けられるので、上記実施形態と同様に、連結金具１３，２３の破損を抑制できるし、扉１２，２２の開閉動作をスムーズに行うことができる。
【００５０】
また、上記実施形態では、扉１２，２２をキャビネット本体１１，２１に対して下方向にスライド移動するように構成したが、上方にスライド移動するように構成しても良いし、扉１２，２２がキャビネット本体１１，２１に対して上方向にスライド移動する場合には、キャビネット本体１１，２１の天井壁１１ｃ，２１ｃに切り欠き１１ｇ，２１ｇを設けるようにしても良い。この構成の場合でも、上記実施形態と同様に、扉１２，２２の開閉動作をスムーズに行えるし、キャビネット本体１１，２１の開口部１１ｆ，２１ｆの開口量を広くできる。なお、扉１２，２２をキャビネット本体１１，２１に対して上方向にスライド移動するように構成した場合には、便器装置Ｓに着座した使用者が扉１２，２２を開扉動作する際に、使用者の腕が肩より上方に上がらない位置に収納棚Ｒを配置することが好ましい。
【００５１】
また、上記実施形態では、ベース部１３ｃ，２３ｃをキャビネット本体１１，２１の奥壁１１ｅ，２１ｅに固定するものとしたが、天井壁１１ｃ，２１ｃや底壁１１ｄ，２１ｄに固定するものとしても良い。つまり、アーム部１３ｂ，２３ｂの回転軸心と、キャビネット本体１１，２１の開口部１１ｆ、２１ｆとがほぼ並行になるように固定されれば、その固定位置は特に限定しない。この構成でも、ベース部１３ｃ，２３ｃがキャビネット本体１１の側壁１１ａ，１１ｂ，２１ａ，２１ｂにより奥行き方向への固定位置が規制されるので、アーム部１３ｂ，２３ｂの固定位置がキャビネット本体１１，２１の開口部１１ｆ、２１ｆに対してズレることがないので、上記実施形態と同様に、連結金具１３，２３の破損を抑制できるし、扉１２，２２の開閉動作をスムーズに行うことができる。
【００５２】
また、上記実施形態では、アーム部１３ｂ，２３ｂを上下方向に配置される２つのアーム１３ｄ，１３ｅ，２３ｄ，２３ｅで構成するものとしたが、少なくとも１つの屈曲部を有する１のアームで構成するものとしても良い。この構成でも、アーム部１３ｂ，２３ｂが屈曲部を有するので、扉１２，２２側先端の回転軌跡がキャビネット本体１１，２１の開口部１１ｆ、２１ｆ側に位置することになり、キャビネット本体１１，２１の前面側に突出する扉１２，２２の突出量を抑えることができる。
【図面の簡単な説明】
【００５３】
【図１】本発明の一実施形態の各キャビネットが配置されたトイレの全体を示した斜視図である。
【図２】サイドキャビネットを分解して示した分解斜視図である。
【図３】サイドキャビネットの側壁を仮想的に取り外した状態の左側面図であり、扉の開扉動作を示した図である。
【図４】各キャビネットが配置されたトイレの全体を示した斜視図であり、各キャビネットの扉が開扉された状態を示している。
【符号の説明】
【００５４】
１０                サイドキャビネット（キャビネット）
２０                中央キャビネット（キャビネット）
１１，２１          キャビネット本体
１１ｅ，２１ｅ      奥壁
１１ｇ，２１ｇ      切り欠き
１２，２２          扉
１３，２３          連結金具
１３ａ，２３ａ      固着部（アーム部材の一部）
１３ｂ，２３ｂ      アーム部（アーム部材）
１３ｄ，２３ｄ      アーム（アーム部材の一部）
１３ｄ１，２３ｄ１  屈曲部
１３ｅ，２３ｅ      アーム（アーム部材の一部）
１３ｅ１，２３ｅ１  屈曲部
１３ｅ２，２３ｅ２  屈曲部
１３ｃ，２３ｃ      ベース部（ベース部材）
【図１】
2010125066.tif 000003
【図２】
2010125066.tif 000004
【図３】
2010125066.tif 000005
【図４】
2010125066.tif 000006